(57)【要約】【課題】交差する管の接続に用いて各種流体を流量変動なく安定的に通通させることのできるコンパクトで組み立ての容易な簡易構造のスイベル管継手を提供する。【解決手段】雌継手１０と雄継手２０を相対的に回転自在に結合して成るスイベル管継手である。雌継手１０は、雄継手２０を連結する第１孔部１３と、該第１孔部に交差状態で連通する第２孔部１４とを有する。雄継手２０は、その一端部が第２孔部１４を閉鎖しない長さを有して第１孔部１３内に挿入する円筒状の口金部２２とされる。口金部２２の外周には、第１孔部１３の内周面に密着するシールリング３０を装着する環状のパッキン溝２２Ａと、径方向に伸縮可能な抜止リング４０を装着する環状の保持溝２２Ｂとが形成される。第１孔部１３の内周には、保持溝２２Ｂに対応して抜止リング４０の外周部を受け入れる環状のロック溝１３Ａが形成される。【選択図】図１
2009174648.tif 000002
【特許請求の範囲】
【請求項１】
雌継手と雄継手を相対的に回転自在に結合して成るスイベル管継手であり、
前記雌継手は、前記雄継手を連結する第１孔部と、該第１孔部に交差状態で連通する第２孔部とを有し、
前記雄継手は、その一端部が前記第２孔部を閉鎖しない長さを有して前記第１孔部内に挿入する円筒状の口金部とされ、
前記口金部の外周には、前記第１孔部の内周面に密着するシールリングを装着する環状のパッキン溝と、径方向に伸縮可能な抜止リングを装着する環状の保持溝とが形成され、
前記第１孔部の内周には、前記保持溝に対応して前記抜止リングの外周部を受け入れる環状のロック溝が形成されていることを特徴とするスイベル管継手。
【請求項２】
前記雄継手の前記口金部とは反対の一端部に管接続用の雄ネジが形成されると共に、前記雌継手の前記第２孔部は、管接続用の雌ネジを形成する大径部と、該大径部よりも孔径が小さい小径部とから成り、その小径部を介して前記大径部と前記第１孔部とが連通されていることを特徴とする請求項１記載のスイベル管継手。
【発明の詳細な説明】
【技術分野】
【０００１】
本発明は、管路の接続に用いられる管継手に係わり、特に使用中でも回転可能で、回転時にも流路抵抗を一定に維持することのできるスイベル管継手に関する。
【背景技術】
【０００２】
管継手には、接続方式、形状、材質によって多くの種類があるが、交差する管同士の接続には屈曲管状のエルボが多用される。しかし、エルボは管同士を固定状態に連結してしまうので、連結された管を旋回させて向きを変えたり回転させたりすることはできない。
【０００３】
このため、回転や旋回動作を伴う管路系には、継手自体が回転可能な構造とされるスイベル管継手が用いられる（例えば、特許文献１）。
【０００４】
その構造を図６に示して説明すれば、１は中空状の継手本体であり、その一部には第１の管接続口１Ａが形成されている。一方、２は管接続口１Ａに直交して継手本体１を貫通する回転自在な直線中空軸状のプラグで、その一端部は第２の管接続口２Ａとして外部に開放され、継手本体１との間にはシール用のパッキン３（Ｏリング）が介在されている。
【０００５】
又、プラグ２において、管接続口２Ａ側の外周には継手本体１の外面に接触するフランジ２Ｂが形成され、継手本体１より突出する閉鎖側の一端部外周には抜止用のスナップリング４が装着されている。特に、プラグ２には継手本体１の内部において流通孔２Ｃが開口されている。
【０００６】
そして、係るスイベル管継手によれば、直交する２つの管接続口１Ａ，２Ａに図示せぬ管を接続しながら、プラグ２に対する継手本体１の回転により管接続口１Ａに接続する管の向きを変えたり、継手本体１に対するプラグ２の回転により管接続口２Ａに接続する管を回転させてその捩れを矯正したりすることができる。又、一方の管を通じて送られてきた流体を、流通口２Ｃを通じて他方の管に流入せしめることができる。
【０００７】
【特許文献１】特開２００１−１６５３７２号公報
【発明の開示】
【発明が解決しようとする課題】
【０００８】
しかしながら、上記のように構成される従来のスイベル管継手によれば、継手本体１とプラグ２との相対回転に伴う管接続口１Ａと流通孔２Ｃとの位置関係によって流路抵抗が変化し、内部を流れる流体の流速や流量が変動してしまうという欠点がある。
【０００９】
尚、継手本体１とプラグ２との相対回転に伴う流速、流量の変動を抑制するには、継手本体１の内容積を大きくすればよいが、これでは継手本体１が大型化して適宜箇所への配置や製品のコストダウンが困難になる。
【００１０】
又、上記従来のスイベル管継手では、シールを必要とする要シール部が二箇所存在するため、それだけ流体が漏れ出す可能性が大きく、シール材（パッキン３）を装着しながらの組み立てにも時間が掛るという問題がある。
【００１１】
本発明は以上のような事情に鑑みて成されたものであり、その目的は交差する管の接続に用いて各種流体を流量変動なく安定的に通通させることのできるコンパクトで組み立ての容易な簡易構造のスイベル管継手を提供することにある。
【課題を解決するための手段】
【００１２】
本発明は上記目的を達成するため、雌継手１０と雄継手２０を相対的に回転自在に結合して成るスイベル管継手であり、
前記雌継手１０は、前記雄継手２０を連結する第１孔部１３と、該第１孔部１３に交差状態で連通する第２孔部１４とを有し、
前記雄継手２０は、その一端部が前記第２孔部１４を閉鎖しない長さを有して前記第１孔部１３内に挿入する円筒状の口金部２２とされ、
前記口金部２２の外周には、前記第１孔部１３の内周面に密着するシールリング３０を装着する環状のパッキン溝２２Ａと、径方向に伸縮可能な抜止リング４０を装着する環状の保持溝２２Ｂとが形成され、
前記第１孔部１３の内周には、前記保持溝２２Ｂに対応して前記抜止リング４０の外周部を受け入れる環状のロック溝１３Ａが形成されていることを特徴とする。
【００１３】
又、上記のように構成されるスイベル管継手において、前記雄継手２０の前記口金部２２とは反対の一端部（プラグ部２３）に管接続用の雄ネジ２３Ａが形成されると共に、前記雌継手１０の前記第２孔部１４は、管接続用の雌ネジ１４Ｃを形成する大径部１４Ａと、該大径部１４Ａよりも孔径が小さい小径部１４Ｂとから成り、その小径部１４Ｂを介して前記大径部１４Ａと前記第１孔部１３とが連通されていることを特徴とする。
【発明の効果】
【００１４】
本発明に係るスイベル管継手によれば、相対的に回転自在に結合される雌継手と雄継手とから構成され、雌継手に交差状態で連通する第１孔部と第２孔部とが形成される共に、雄継手の一端部が第２孔部を閉鎖しない長さを有して第１孔部内に挿入する円筒状の口金部とされていることから、雌継手と雄継手とが相対的に回転しても、その回転量に拘わらず内部の流路抵抗を一定に維持することができる。このため、各種流体を流速や流量を変動させずに安定的に流通させることができる。
【００１５】
又、口金部の外周に環状のパッキン溝が形成され、そのパッキン溝には第１孔部の内周面に密着するシールリングが装着されることから、雌継手と雄継手との間から流体が漏れ出すことがなく、しかも口金部は雌継手を貫通せずして第１孔部内に挿入されるだけなのでシールリングは一つあれば足り、このため部品点数を削減しながら高いシール性を維持することができ、組み立てに要する時間も２つ以上のシールリングを用いる場合に比べて短縮できる。
【００１６】
加えて、口金部の外周に環状の保持溝が形成され、その保持溝に径方向に伸縮可能な抜止リングが装着されると共に、第１孔部の内周には保持溝に対応して抜止リングの外周部を受け入れる環状のロック溝が形成されることから、雌継手と雄継手とを回転自在に結合しながら、結合した雌継手と雄継手が悪意的に分解されてしまうことを防止できる。
【００１７】
更に、雄継手には口金部とは反対の一端部にて管接続用の雄ネジが形成される一方、雌継手の第２孔部が管接続用の雌ネジを形成する大径部と、該大径部よりも孔径が小さい小径部とから成り、その小径部を介して大径部と第１孔部とが連通されていることから、管の接続に際して、管端が第１孔部の内壁に突き当たって閉じられてしまうことを防止できる。
【発明を実施するための最良の形態】
【００１８】
以下、本発明を図面に基づいて詳しく説明する。図１は本発明に係るスイベル管継手を示した斜視分解図である。図１において、１０は係るスイベル管継手の本体部を成す雌継手であり、この雌継手１０は、角を丸めた立方体型の胴部１１とその一面から突出する円筒部１２とを一体とした形態とされている。本例において、この雌継手１０は黄銅製であり、胴部１１の一部には第１孔部１３が穿設され、円筒部１２には第２孔部１４が穿設されている。
【００１９】
一方、２０は雌継手１０と相対的に回転自在にして結合する雄継手であり、この雄継手は正六角形状の輪郭を有するフランジ２１を介して、その一端部が雌継手１０の第１孔部１３内に挿入する口金部２２とされると共に、口金部２２とは反対の一端部が管接続用のプラグ部２３とされている。
【００２０】
口金部２２とプラグ部２３はいずれも円筒状であり、このうち口金部２２の外周には、シールリング３０を装着するためのパッキン溝２２Ａと、抜止リング４０を装着するための保持溝２２Ｂとが形成され、プラグ部２３には管接続用の雄ネジ２３Ａが形成されている。
【００２１】
尚、本例では、シールリング３０（環状のパッキン）として、Ｏリングが用いられる。又、抜止リング４０は、径方向に伸縮可能なバネ性を有するＣ形の金属リングであり、その径は第１孔部１３内に嵌め込み得る状態でまで縮小可能で、無負荷時には第１孔部１３の内径より拡大するようになっている。
【００２２】
図２は雌継手の縦断面、図３は雄継手の縦断面を示す。先ず、雌継手１０において、図２から明らかなように、第１孔部１３と第２孔部１４は直交状態で連通している。特に、第２孔部１４は、第１孔部１３と略同径の大径部１４Ａと、該大径部の底部にあってそれよりも孔径が小さい小径部１４Ｂとの二段構成とされており、このうち大径部１４Ａには管接続用の雌ネジ１４Ｃが形成されている。そして、第２孔部１４は、小径部１４Ｂを介して大径部１４Ａと第１孔部１３が直交状態で連通している。
【００２３】
一方、第１孔部１３の内周には、第２孔部１４の小径部１４Ｂよりも開口端側で環状のロック溝１３Ａが形成されている。このロック溝１３Ａは、上記雄継手２０の回転を許容しながら該雄継手の軸方向の移動を拘束するもので、当該ロック溝１３Ａ内に上記抜止リング４０の外周部が入り込むようになっている。
【００２４】
次に、図３から明らかなように、雄継手２０にはその一端から他端に渡って直線状の流路２４（図１から明らかなように正六角形の孔）が形成されている。又、上記のように口金部２２の外周に形成したパッキン溝２２Ａにはシールリング３０が嵌められ、保持溝２２Ｂには抜止リング４０が嵌められる。
【００２５】
図４は、以上のような雌継手と雄継手とを結合した断面を示す。図４から明らかなように、雄継手２０の口金部２２は第１孔部１３への挿入時に第２孔部１４を閉鎖しない長さに設定されており、雌継手１０と雄継手２０との結合により第２孔部１４の小径部１４Ｂが全開状態のまま、第２孔部１４の大径部１４Ａと、第１孔部１３に挿入した口金部２２を含む雄継手２０の内部流路２４とが直交状態で連通するようになっている。
【００２６】
そして、このときパッキン溝２２Ａに装着したシールリング３０は、その内周がパッキン溝２２Ａの底部に密着したまま、その外周が第１孔部１３の内周に密着するのであり、このため雌継手１０と雄継手２０との間から流体が漏れ出すことが防止される。
【００２７】
又、図４から明らかなように、ロック溝１３Ａは保持溝２２Ｂに対応する位置にあり、雌継手１０と雄継手２０との結合時には、保持溝２２Ｂに装着した抜止リング４０が保持溝２２Ｂとロック溝１３Ａとの境界部分に位置し、当該抜止リング４０の内周部が保持溝２２Ｂ内に嵌まり込んだまま、その外周部がロック溝１３Ａ内に嵌まり込むようになっている。このため、雄継手２０は雌継手１０に対して軸方向の移動を拘束され、雌継手１０と雄継手２０との結合後には両者の離脱が不可となる。尚、雌継手１０と雄継手２０との結合は、保持溝２２Ｂに装着した抜止リング４０を図示せぬ工具により縮小させながら、口金部２２を第１孔部１３内に押し込むことで容易に行うことができる。
【００２８】
次に、図５は以上のように構成されるスイベル管継手の使用態様を示す。この図で明らかなように、係るスイベル管継手は２つの管Ｐ１，Ｐ２を直交接続するのに用いられる。すなわち、雌継手１０にはその第２孔部１４に対して管Ｐ１が接続され、雄継手２０にはそのプラグ部２３に対して他の管Ｐ２が接続される。
【００２９】
尚、一方の管Ｐ１は、その一端部外周に大径部１４Ａの雌ネジ１４Ｃに対応する雄ネジを有し、接続に際して当該管Ｐ１をパイプレンチで回転規制しながら、胴部１１を利用してスパナで雌継手１０を回転させることにより両者１０，Ｐ１の締結が行われる。又、他方の管Ｐ２は、その一端部内周にプラグ部２３の雄ネジ２３Ａに対応する雌ネジを有し、接続に際して当該管Ｐ２をパイプレンチで回転規制しながら、フランジ２１を利用してスパナで雄継手２０を回転させることにより両者２０，Ｐ２の締結が行われる。
【００３０】
ここに、管Ｐ１は大径部１４Ａの底部により移動制限され、しかも他方の管Ｐ２がプラグ部２３の外周に嵌められるため、それら管Ｐ１，Ｐ２の締め過ぎによりその各管端が第１孔部１３の内壁に突き当たって閉じられてしまうことがない。
【００３１】
そして、係るスイベル管継手によれば、管Ｐ１，Ｐ２を接続しながら、雄継手２０に対する雌継手１０の回転によって管Ｐ１の向きを変えたり、雌継手１０に対する雄継手２０の回転により管Ｐ２の回転を許容したりすることができる。特に、雄継手２０は雌継手１０の第２孔部１４（小径部１４Ｂ）の延長線上から外れた位置で、これに直交する軸線回りに回転するだけなので、雌継手１０と雄継手２０とが相対的に回転しても、その回転量に拘わらず内部の流路抵抗は一定に保たれる。このため、係るスイベル管継手を介して管Ｐ１，Ｐ２の一方から他方に送られる流体の流速や流量が変動せず、その流体を安定的に流通させることができる。
【００３２】
以上、本発明について説明したが、第１孔部１３と第２孔部１４は直交することに限らず、９０度より大きい、又は小さい角度で交差するものでもよい。又、接続する管Ｐ１，Ｐ２は金属管などの剛性管に限らず、可撓管（ホース）でもよい。
【図面の簡単な説明】
【００３３】
【図１】本発明に係るスイベル管継手を示す斜視分解図
【図２】同スイベル管継手を構成する雌継手の縦断面図
【図３】同スイベル管継手を構成する雄継手の縦断面図
【図４】雌継手と雄継手を結合した状態を示す断面図
【図５】本発明に係るスイベル管継手の使用態様を示す説明図
【図６】従来のスイベル管継手を示す部分断面図
【符号の説明】
【００３４】
１０  雌継手
１３  第１孔部
１３Ａ  ロック溝
１４  第２孔部
１４Ａ  大径部
１４Ｂ  小径部
１４Ｃ  雌ネジ
２０  雄継手
２２  口金部
２２Ａ  パッキン溝
２２Ｂ  保持溝
２３  プラグ部
２３Ａ  雄ネジ
３０  シールリング
４０  抜止リング
【図１】
2009174648.tif 000003
【図２】
2009174648.tif 000004
【図３】
2009174648.tif 000005
【図４】
2009174648.tif 000006
【図５】
2009174648.tif 000007
【図６】
2009174648.tif 000008